(57)【特許請求の範囲】
【請求項１】
一対の入力端子に入力される交流電力をダイオードブリッジにより全波整流して一対の出力端子から出力する整流回路と、
前記整流回路の前記一対の入力端子の一方に接続されたリアクトル素子、前記整流回路の前記一対の出力端子の間に接続されたスイッチング素子、正極側及び負極側に入力される電力を平滑化して直流電力を出力する平滑回路、及び、前記整流回路の前記一対の出力端子のそれぞれと前記平滑回路の正極側及び負極側との間に配置された一対の昇圧用のダイオードを含んで形成された昇圧回路と、
前記リアクトル素子が接続された前記整流回路の前記一方の入力端子と前記平滑回路の正極側及び負極側とを接続する一対のバイパス用のダイオードを含み、前記一対のバイパス用のダイオードの一方の電流方向が前記一方の入力端子側から前記平滑回路の正極側とされ、前記一対のバイパス用のダイオードの他方の電流方向が前記平滑回路の負極側から前記一方の入力端子側とされて形成されたバイパス回路と、
を備えた電源装置。
【発明の詳細な説明】
【０００１】
【発明の属する技術分野】
本発明は、交流電力を直流電力に変換する電源装置に関する。詳細には、ブリッジ整流回路と昇圧回路が設けられた電源装置に関する。
【０００２】
【従来の技術】
冷凍サイクルによって冷暖房を行なう空気調和機（エアコン）では、冷暖房能力を調整するときに、回転型のコンプレッサの回転数を変更するものがある。すなわち、エアコンでは、コンプレッサの回転数を下げることにより冷暖房能力が下がり、コンプレッサの回転数を高くすることにより冷暖房能力が高くなる。このようなエアコンでは、インバータ制御によってコンプレッサの駆動を制御している。
【０００３】
ところで、コンプレッサのインバータ制御に用いられる電源装置には、ＰＡＭ（Pulse Amplitude Modulation ：パルス振幅変調）制御を行うものがある。ＰＡＭ制御を行う電源装置には、ブリッジ整流回路に加えてチョッパ回路等を用いた昇圧回路が設けられており、ブリッジ整流回路によって整流する電力を昇圧回路によって所望の電圧の電力に変換するようにしている。
【０００４】
昇圧回路は、リアクトル素子、昇圧用のダイオード、スイッチ素子及びコンデンサを備え、スイッチング素子のオン／オフによってリアクトル素子に電力を蓄えたのち、この電力をコンデンサに充電することにより、所望の電圧の直流電力を出力するようになっている。
【０００５】
また、電源装置では、このような昇圧回路を設けたときに、スイッチング素子のオン時間の比率（デューティー比）を制御することにより、力率改善と共に高調波電流の抑制を図っている。
【０００６】
【発明が解決しようとする課題】
しかしながら、ダイオードでは、少なからず電圧降下（例えば約０．７５Ｖ）が生じる。この電圧降下は、電力損失となって現われ、出力電力が大きくなると損失も大きくなる。ＰＡＭ制御を行う電源装置では、ブリッジ整流回路と昇圧回路のそれぞれにダイオードが設けられており、このために生じる損失によって電力の変換効率が低くなってしまうと言う問題がある。
【０００７】
本発明は上記事実に鑑みてなされたものであり、電力損失を抑えることにより電力の変換効率を向上させた電源装置を提案することを目的とする。
【０００８】
【課題を解決するための手段】
上記課題を解決するための本発明は、一対の入力端子に入力される交流電力をダイオードブリッジにより全波整流して一対の出力端子から出力する整流回路と、前記整流回路の前記一対の入力端子の一方に接続されたリアクトル素子、前記整流回路の前記一対の出力端子の間に接続されたスイッチング素子、正極側及び負極側に入力される電力を平滑化して直流電力を出力する平滑回路、及び、前記整流回路の前記一対の出力端子のそれぞれと前記平滑回路の正極側及び負極側との間に配置された一対の昇圧用のダイオードを含んで形成された昇圧回路と、前記リアクトル素子が接続された前記整流回路の前記一方の入力端子と前記平滑回路の正極側及び負極側とを接続する一対のバイパス用のダイオードを含み、前記一対のバイパス用のダイオードの一方の電流方向が前記一方の入力端子側から前記平滑回路の正極側とされ、前記一対のバイパス用のダイオードの他方の電流方向が前記平滑回路の負極側から前記一方の入力端子側とされて形成されたバイパス回路と、を備えている。
【０００９】
この発明によれば、全波整流を行う整流回路と昇圧回路を用いて、交流電流の整流及び昇圧を行って所定の電圧の直流電力を出力する。このとき、整流回路は、ダイオードのブリッジ接続によって形成したブリッジ整流回路が用いられ、また、昇圧回路は、スイッチング素子を設け、このスイッチング素子のオン／オフによって所望の電圧を得る。
【００１０】
バイパス回路は、リアクトル素子と平滑回路を一対のバイパス用のダイオードによって接続しており、一対のバイパス用のダイオードのそれぞれは、平滑回路への充電方向へ電流を流す。したがって、リアクトル素子に蓄積された電力は、整流回路のブリッジ接続されたダイオード及び昇圧回路の昇圧用のダイオードを通過せず、バイパス回路のバイパス用のダイオードを通過して平滑回路に蓄積される。すなわち、リアクトル素子に蓄積された電力が通過するダイオードの数を減らすことができる。
【００１１】
これにより、電力損失を抑え、入力された電力を効率良く出力することができる。
【００１３】
このように本発明では、簡単でかつ低コストで形成することができるバイパス回路によって、電力の変換効率の向上を図ることができる。
【００１４】
【発明の実施の形態】
以下に図面を参照しながら、本発明の実施の形態を説明する。図２には、本実施の形態に適用した空気調和機（以下「エアコン１０」と言う）の冷凍サイクルを示している。
【００１５】
このエアコン１０は、被空調室に設置される室内ユニット１２と室外に設置される室外ユニット１４によって構成されており、室内ユニット１２と室外ユニット１４とは、冷媒を循環させる太管の冷媒配管１６Ａと、細管の冷媒配管１６Ｂとで接続されている。
【００１６】
室内ユニット１２には、熱交換器１８が設けられており、冷媒配管１６Ａ、１６Ｂのそれぞれの一端がこの熱交換器１８に接続されている。また、冷媒配管１６Ａの他端は、室外ユニット１４のバルブ２０Ａ、マフラー２２Ａを介して四方弁２４に接続されている。この四方弁２４は、アキュムレータ２８及びマフラー２２Ｂを介してコンプレッサ２６に接続されている。
【００１７】
さらに、室外ユニット１４には、熱交換器３０が設けられている。この熱交換器３０は、一方が四方弁２４に接続され、他方がキャピラリチューブ３２、ストレーナ３４、モジュレータ３８を介してバルブ２０Ｂに接続されている。また、ストレーナ３４とモジュレータ３８の間には、電動膨張弁３６が設けられ、バルブ２０Ｂには、冷媒配管１６Ｂの他端が接続されている。これによって、室内ユニット１２と室外ユニット１４の間に冷凍サイクルを形成する冷媒の密閉された循環路が構成されている。
【００１８】
エアコン１０は、コンプレッサ２６と一体に設けているコンプレッサモータ４０の回転駆動によってコンプレッサ２６が運転されると、この冷凍サイクル中を冷媒が循環される。このとき、エアコン１０では、運転モード（冷房モード又は暖房モード）に応じて四方弁２４が切換えられ、電動膨張弁３６の弁開度を制御することにより、冷媒の蒸発温度が調整される。なお、図２では矢印によって暖房運転時（暖房モード）と冷房運転時（冷房モードまたはドライモード）の冷媒の流れを示している。
【００１９】
冷房モードでは、コンプレッサ２６によって圧縮された冷媒が熱交換器３０へ供給されることにより液化され、この液化された冷媒が室内ユニット１２の熱交換器１８で気化することにより、熱交換器１８を通過する空気を冷却する。また、暖房モードでは、逆に、コンプレッサ２６によって圧縮された冷媒が、室内ユニット１２の熱交換器１８で凝縮されることにより放熱し、この冷媒が放熱した熱で熱交換器１８を通過する空気を加熱する。
【００２０】
室内ユニット１２は、送風用に設けられている図示しないクロスフローファンによって吸引した空気を室内へ吹出すときに熱交換器１８を通過させ温調する。これにより、室内ユニット１２から吹出される空気によって室内が空調される。
【００２１】
一方、図１に示されるように、室外ユニット１４には、電源装置４２及び図示しないマイコンを備えたコントロール基板４４が設けられている。電源装置４２は、室外ユニット１４に供給される交流電力を、コンプレッサモータ４０の駆動に用いる直流電力に変換するようになっており、電源装置４２には、インバータ回路４６を介してコンプレッサモータ４０が接続されている。
【００２２】
このコントロール基板４４では、マイコンがシリアル通信等によって室内ユニットに設けられている図示しないマイコンに接続されている。また、コントロール基板４４には、外気温度を検出する外気温度センサ、コンプレッサ２６の温度を検出するコンプレッサ温度センサ、熱交換器３０のコイル温度を検出するコイル温度センサ等が接続されている。
【００２３】
これにより、コントロール基板４４に設けているマイコンは、室内ユニット１２から送出される信号及び各センサの検出結果に基づいて、コンプレッサモータ４０、四方弁２４、電導膨張弁３６熱交換器３０を冷却する冷却ファン等の駆動を制御する。また、コントロール基板４４のマイコンは、コンプレッサモータ４０の作動を制御するときに、電源装置４２およびインバータ回路４６を制御して、コンプレッサ２６が所定の回転数で回転駆動されるように、コンプレッサモータ４０を制御する。
【００２４】
インバータ回路４６は、スイッチング素子が設けられた一般的構成となっている。また、コンプレッサモータ４０としては、ＤＣブラシレスモータが用いられており、入力電圧の変化に応じて回転数が変化する。
【００２５】
コントロール基板４４に設けているマイコンは、インバータ回路４６に設けているスイッチング素子を駆動するスイッチング信号のデューティー比を制御し、このスイッチング信号でスイッチング素子が駆動されることにより、インバータ回路４６は、スイッチング信号のデューティ比に応じた電圧の電力を出力する。この電力によってコンプレッサモータ４０を駆動することにより、コンプレッサ２６が、コントロール基板４４のマイコンで設定した回転数で運転される。
【００２６】
また、インバータ回路４６は、スイッチング信号のデューティ比を一定としたときに、出力電圧がインバータ回路４６への入力電圧、すなわち、電源装置４２からの出力電圧Ｖ0に応じて変化する。これにより、コンプレッサモータ４０は、インバータ回路４６への入力電圧を変えることにより、回転数が変更可能となっている。
【００２７】
室外ユニット１４では、コントロール基板４４に設けているマイコンが、電源装置４２を制御することにより、インバータ回路４６への出力電圧Ｖ0を変化させて、コンプレッサモータ４０を駆動するＰＡＭ（Pulse  Amplitude Modulation ：パルス振幅変調）制御を行うようになっている。
【００２８】
電源装置４２には、ダイオード４８をブリッジ接続したブリッジ整流回路５０が設けられている。このブリッジ整流回路５０には、一方の入力端子５２Ａにリアクトル５４が接続されている。これにより、電源装置４２には、リアクトル５４を介してブリッジ整流回路５０の入力端子５２Ａ、５２Ｂに、交流電源５６から所定の電圧（例えば単相１００Ｖ）の交流電力が入力される。
【００２９】
また、ブリッジ整流回路５０には、出力端子５８Ａ、５８Ｂに、昇圧用のダイオード６０、６２を介して平滑回路６４が接続されている。出力端子５８Ａに接続されているダイオード６０は、電流方向がブリッジ整流回路５０から平滑回路６４へ向けた方向となっており、出力端子５８Ｂに接続されているダイオード６２は、電流方向が平滑回路６４からブリッジ整流回路５０へ向けた方向となっている。
【００３０】
平滑回路６４は、直列接続されたコンデンサ６６、６８と、このコンデンサ６６、６８に並列接続されたコンデンサ７０によって形成されており、コンデンサ６６、７０の＋側にダイオード６０が接続され、コンデンサ６８、７０の−側がダイオード６２に接続されている。
【００３１】
さらに、電源装置４２には、ダイオード６０、６２の間（ブリッジ整流回路５０の出力端子５８Ａ、５８Ｂの間）にスイッチング回路７２が設けられている。このスイッチング回路７２は、スイッチング素子としてＩＧＢＴ（Insulated Gate Bipolar Transistor）等のスイッチングＴr７４とダイオード７６によって形成されており、スイッチングＴr７４がオンされることにより出力端子５８Ａから出力端子５８Ｂへ電流が流れるようになっている。
【００３２】
これにより、電源装置４２には、ブリッジ整流回路５０を挟んで設けられているリアクトル５４、スイッチング回路７２、ダイオード６０、６２及び平滑回路６４によって昇圧回路７８が形成されており、交流電力をブリッジ整流回路５０で整流した後、スイッチングＴｒ７４のスイッチング（オン／オフ）により昇圧して出力する。このときに、スイッチングＴｒ７４を駆動するスイッチング信号のオン時間によって出力電圧Ｖ0が変えられる。
【００３３】
一方、コントロール基板４４には、ＰＡＭ制御回路８０及びスイッチング回路７２のスイッチングＴｒ７４を駆動する駆動回路８２が形成されている。また、電源装置４２には、電流検出回路８４及びゼロクロス検出回路８６が設けられており、これらがＰＡＭ制御回路８０に接続されている。
【００３４】
電流検出回路８４には、リアクトル５４と交流電源５０の間に設けられたＣＴ８８が接続されている。また、ゼロクロス検出回路８６は、リアクトル５４及びブリッジ整流回路５０の入力端子５２Ｂの交流電源５６側に接続されている。これにより、ＰＡＭ制御回路８０は、電源装置４２へ入力される電流及び、電圧波形に基づいたゼロクロス信号が入力される。
【００３５】
ＰＡＭ制御回路８０は、電流検出回路８４によって検出する入力電流に基づいてスイッチング信号のデューティ比を設定し、ゼロクロス検出回路８６によって検出するゼロクロス点に基づいたタイミングで、駆動回路８２へスイッチング信号を出力する。これにより、ＰＡＭ制御回路８０は、電源装置４２から所定の電圧を出力すると共に、電源装置４２に入力される交流電力から高調波成分を除去すると共に力率向上（力率改善）を図るようにしている。なお、ＰＡＭ制御回路８０では、１５ｋHz以上の可聴周波数外の周期（例えば１７ｋHz）でスイッチングを行うようにしている。
【００３６】
これにより、例えば図４（Ａ）乃至図４（Ｄ）に示されるように、ＰＡＭ制御回路８０は、交流電源５０の１サイクル中で、スイッチング信号ＳＴ1〜ＳＴ4（図４（Ｃ）参照）を出力するように設定されている。このとき、ＰＡＭ制御回路８０は、入力電圧が負側から正側に変わるゼロクロス点Ｐ1を検出してから僅かに送らせてスイッチング信号ＳＴ1を出力し（例えば時間ｔ1の遅れ）、入力電圧が正側から負側に変わるゼロクロス点Ｐ2に達する前（例えば時間ｔ2）に停止するようにスイッチング信号ＳＴ2を出力する。また、ＰＡＭ制御回路８０は、入力電圧がゼロクロス点Ｐ2に達するとスイッチング信号ＳＴ3を出力し、入力電圧がゼロクロス点Ｐ1に達する前（例えば時間ｔ3）に停止するようにスイッチング信号ＳＴ4を出力する。
【００３７】
また、ＰＡＭ制御回路８０は、スイッチング信号ＳＴ1〜ＳＴ4が出力される時間であるスイッチング時間ｔ4、ｔ5、ｔ6、ｔ7を主に電源装置４２の出力電圧Ｖ0に基づいて設定し、スイッチング信号ＳＴ1〜ＳＴ4のデューティ比（オン時間）を、主に電流検出回路８４によって検出する入力電流に基づいて設定する。
【００３８】
このときに、スイッチング信号ＳＴ1、ＳＴ3のデューティ比が、スイッチング信号ＳＴ2、ＳＴ4のデューティよりも短くなるように設定するようにしている。また、ＰＡＭ制御回路８０は、スイッチング信号ＳＴ1とスイッチング信号ＳＴ2の間及びスイッチング信号ＳＴ3とスイッチング信号ＳＴ4の間で、スイッチングの停止時間を設けている。
【００３９】
なお、スイッチング信号ＳＴ1〜ＳＴ4の送出開始及び停止は、交流電圧の位相角を設定し、この位相角に基づいた時間で行われるものであっても良い。また、スイッチング信号ＳＴ1、ＳＴ3は、前段の時間及びデューティ比が予め設定され、後段のデューティ比を入力電流に基づいて設定し、後段の時間を出力電圧Ｖ0に基づいて設定するものであっても良い。
【００４０】
これにより、例えば、スイッチング回路７２を設けていないときに（ＰＡＭ制御を行わないとき）には、図５（Ａ）に示される入力電圧に対して、図５（Ｂ）に示される入力電流となっている場合、スイッチング回路７２を用いてＰＡＭ制御を行うことにより、図４（Ｄ）に示される入力電流が得られる。
【００４１】
すなわち、電源装置４２では、ＰＡＭ制御を行うことにより、入力電流の位相を入力電圧の位相に近づけ、かつ、入力電流が滑らかに変化することができる。これにより、電源装置４２では、力率を高くできる（例えば０．９７以上）と共に交流電力から高調波成分の除去を図ることができる。
【００４２】
ところで、電源装置４２には、ブリッジ整流回路５０の入力端子５２Ａと、平滑回路６４との間にバイパス回路９０が設けられている。このバイパス回路９０は、電流の通過方向が互いに異なる方向へ向けられた２個のダイオード９２、９４によって形成されている。
【００４３】
ダイオード９２、９４は、リアクトル５４と共にブリッジ整流回路５０の入力端子５２Ａに接続されている。また、一方のダイオード９４は、ダイオード６０と共にコンデンサ６６、７０の＋側に接続されており、他方のダイオード９２は、ダイオード６２と共にコンデンサ６８、７０の−側に接続されている。
【００４４】
電源装置４２では、このようにダイオード９２、９４を設けることにより、図３（Ａ）に示されるように、リアクトル５４からダイオード９４を介してコンデンサ６６の＋側へ電流が流れ、また、図３（Ｂ）に示されるように、コンデンサ６８の−側からダイオード９２を介してリアクトル５４へ電流が流れるようになっている。なお、図３（Ａ）及び図３（Ｂ）では、矢印で電流の流れを示している。
【００４５】
これにより、電源装置４２では、交流電源５６側に設けているリアクトル５４に蓄積された電力が、ブリッジ整流回路５０のダイオード４８及び昇圧用のダイオード６０を通過せずに、バイパス回路９０のダイオード９４を通過してコンデンサ６６、６８に蓄積される。
【００４６】
以下に、本実施の形態の作用を説明する。
【００４７】
エアコン１０は、図示しないリモコンスイッチの操作によって、運転モード、設定温度等の運転条件が設定され、運転／停止ボタンの操作によって運転開始が指示されていると、室内ユニット１２に設けている図示しないマイコンが、設定された運転条件に応じて室内を空調するために必要な空調能力を演算し、この演算結果に基づいてコンプレッサモータ４０の回転数を設定する。この後、室内ユニット１２に設けているマイコンは、設定した回転数でコンプレッサモータ４０を駆動するように、室外ユニット１４のコントロール基板４４へ信号を送出する。
【００４８】
室外ユニット１４に設けているコントロール基板４４では、内部のマイコンが室内ユニット１２のマイコンによって指示されたコンプレッサ２６の回転数が得られるように電源装置４２及びインバータ回路４６を制御しながらコンプレッサモータ４０を回転駆動する。これにより、エアコン１０では、コンプレッサ２６で圧縮された冷媒が冷凍サイクル中を循環され、室内ユニット１２に設けている熱交換器１８を通過する空気を温調する。この室内ユニット１２の熱交換器１８を通過することにより温調された空気が、室内ユニット１２から吹出されることにより、室内の空調が図られる。
【００４９】
ところで、エアコン１０の室外ユニット１４では、インバータ回路４６を用いたＰＷＭ制御に加えて、インバータ回路４６に入力する電源装置４２の出力電圧を変化させることにより、コンプレッサ２６の回転数を制御するＰＡＭ制御を行うようにしている。
【００５０】
また、コントロール基板４４に設けているＰＡＭ制御回路８０は、ＰＡＭ制御を行うときに、電源装置４２に入力される交流電力の力率改善および高調波抑制を合わせて行うようにしている。
【００５１】
このために、電源装置４２には、ダイオード４８を用いたブリッジ整流回路５０と、昇圧用のダイオード６０、６２が設けられている。これにより、リアクトル５４に蓄積された電力は、ブリッジ整流回路５０のダイオード４８及びダイオード６０又はダイオード６２を通過して平滑回路６４を形成するコンデンサ６６、６８に蓄積される。
【００５２】
一般に、ダイオード４８、６０、６２等では、少なからず電力の損失が生じる。このために、入力電力に対して出力電力が低くなり、電力の利用効率が低下する。すなわち、ダイオードでは、１個当たり約０．７５Ｖの電圧降下が生じる。この電圧降下は、ダイオードに入力される電力を出力する時の損失となって生じ、通過電流が大きくなるほど電力損失も大きくなる。
【００５３】
一方、電源装置４２には、バイパス回路９０が設けられている。このバイパス回路９０は、リアクトル５４と平滑回路６４とをダイオード９２、９４によって接続している。
【００５４】
これにより、電源装置４２では、図４（Ａ）に示されるように、リアクトル５４に蓄積された電力は、リアクトル５４からダイオード９４を通過して、コンデンサ６６の＋側に流れ、コンデンサ６６に蓄積される。また、コンデンサ６８の−側からは、ダイオード９２を通過してリアクトル５４に流れる。
【００５５】
これにより、リアクトル５４と平滑回路６４の間では、実質的に電流がブリッジ整流回路５０のダイオード４８及び昇圧用のダイオード６０又はダイオード６２を通過せず、ダイオード９４又はダイオード９２を通過して電力の蓄積および放出が行われる。
【００５６】
したがって、電源装置４２では、電力損失の低減が図られ、入力される電力が効率良くインバータ回路４６へ出力される。すなわち、リアクトル５４と平滑回路６４の間が、ブリッジ整流回路５０のダイオード４８と、昇圧用のダイオード６０又はダイオード６２によって接続された場合、電源装置４２に入力される電力は、少なくとも２個のダイオードを通過することになる。これに対してダイオード９２、９４によって形成したバイパス回路９０を設けることにより、入力電力は、１個のダイオードを通過して出力され、２個のダイオードを通過する場合に比べて電力損失が低減される。
【００５７】
電源装置４２では、このように電力の損失を低減することができるので、入力される電力を効率良く出力することができる。特に、エアコン１０では、コンプレッサ２６の能力が大きくなると、電源装置４２は大きな出力電力を必要とする。大きな出力電力が必要となると、ダイオードによる電力損失も大きくなるが、電源装置４２を設けたエアコン１０では、この電力損失を大きく低減して、空調運転を行うことができる。
【００５８】
また、電源装置４２では、バイパス回路９０を２個のダイオード９２、９４によって形成する簡単な構成となっており、電力損失の低減を安価に達成することができている。
【００５９】
なお、本実施の形態では、互いに異なる電流の通過方向が互いに異なる方向へ向けたダイオード９２、９４によってバイパス回路９０を形成したが、バイパス回路としては、少なくともダイオード９２、９４の一方によって形成したものであれば良い。
【００６０】
また、以上説明した本実施の形態は、本発明の構成を限定するものではない。本発明は、エアコン１０に限らず、ＰＡＭ制御を行う任意の構成の空気調和機に適用することができる。また、本発明は、空気調和機に限らず、ＰＡＭ制御を行う任意の構成の電源装置に適用することができる。
【００６１】
【発明の効果】
以上説明したように本発明によれば、一対のバイパス用のダイオードのそれぞれが、整流回路のブリッジダイオードと昇圧回路に設けられる昇圧用のダイオードをバイパスするバイパス回路を設けることにより、ダイオードによる電力の損失の低減を図ることができる。これにより、電力変換効率を向上させ、入力される電力を用いたコンプレッサ等の負荷の効率的な運転が可能となると言う優れた効果が得られる。
【図面の簡単な説明】
【図１】本実施の形態に適用した電源装置の概略構成を示すブロック図である。
【図２】本実施の形態の電源装置を適用したエアコンの冷凍サイクルを示す概略図である。
【図３】（Ａ）及び（Ｂ）はバイパス回路への電流の流れを示す電源装置の概略図であり、（Ａ）はリアクトルから平滑回路への電流の流れを示し、（Ｂ）は平滑回路からリアクトルへの電流の流れを示している。
【図４】（Ａ）乃至（Ｂ）は横軸を時間軸とした線図であり、（Ａ）は電源装置に入力電圧の一例を示す線図、（Ｂ）は入力電圧に基づいて出力されるスイッチング信号を示す線図、（Ｃ）はスイッチング信号のタイミングを示す線図、（Ｄ）は図４（Ｃ）のタイミングでスイッチングすることにより得られる入力電流を示す線図である。
【図５】（Ａ）及び（Ｂ）は横軸を時間軸とした線図であり、（Ａ）は入力電圧の一例を示す線図であり、（Ａ）はＰＡＭ制御を行わないときの図５（Ａ）に応じた入力電流の一例を示す線図である。
【符号の説明】
１０    エアコン
１４    室外ユニット
２６    コンプレッサ
４０    コンプレッサモータ
４２    電源装置
４４    コントロール基板
４８    ダイオード
５０    ブリッジ整流回路
５４    リアクトル
５６    交流電源
６０、６２    ダイオード
６４    平滑回路
６６、６８、７０    コンデンサ
７２    スイッチング回路
８０    ＰＡＭ制御回路
９０    バイパス回路
９２、９４    ダイオード
【図１】
0004454089.tif 000002
【図２】
0004454089.tif 000003
【図３】
0004454089.tif 000004
【図４】
0004454089.tif 000005
【図５】
0004454089.tif 000006